(57)【要約】【課題】より確実にユーザに事象を報知する情報処理装置、情報処理方法、プログラム及び通信プログラムを提供する。【解決手段】情報取得部１８１は、ユーザに報知する事象が発生したことをユーザに報知可能なスピーカシステム２００及びテレビ３００に関する情報を含む周辺情報を取得する。指示部１８３は、事象が発生したことをユーザに報知する報知動作をスピーカシステム２００及びテレビ３００に指示する。調整部１８４は、情報取得部１８１によって取得された周辺情報に基づいて指示部１８３の指示内容を調整する。【選択図】図２
2012212958.tif 000002
【特許請求の範囲】
【請求項１】
ユーザに報知する事象が発生したことを前記ユーザに報知可能な報知装置に関する情報を含む周辺情報を取得する情報取得部と、
前記事象が発生したことを前記ユーザに報知する報知動作を前記報知装置に指示する指示部と、
前記情報取得部によって取得された周辺情報に基づいて前記指示部の指示内容を調整する調整部と、
を備える情報処理装置。
【請求項２】
前記事象が発生したことを報知する報知部と、
前記ユーザの操作入力を検出する操作入力検出部と、
をさらに備え、
前記指示部は、
前記報知部による報知の開始から待ち時間内に前記操作入力検出部によって前記ユーザの操作入力が検出されなかった場合に、前記報知装置に対して前記報知動作を指示する、
ことを特徴とする請求項１に記載の情報処理装置。
【請求項３】
前記情報取得部によって複数の前記報知装置に関する情報が前記周辺情報として取得された場合、
前記調整部は、
前記事象が発生したことを報知する報知装置を選択し、前記調整部により選択された前記報知装置に報知動作を指示するように前記指示部の指示内容を調整する、
ことを特徴とする請求項１又は２に記載の情報処理装置。
【請求項４】
前記報知動作の開始から待ち時間内に前記操作入力検出部によって前記ユーザの操作入力が検出されない場合、
前記調整部は、
選択する報知装置を切り替えるように前記指示部の指示内容を調整する、
ことを特徴とする請求項３に記載の情報処理装置。
【請求項５】
前記情報取得部は、
前記周辺情報として前記ユーザと前記報知装置との位置関係に関する情報を取得し、
前記調整部は、
前記位置関係に基づいて前記報知装置を選択する、
ことを特徴とする請求項３又は４に記載の情報処理装置。
【請求項６】
前記情報取得部は、
前記周辺情報として前記報知装置による報知動作の種別に関する情報を取得し、
前記調整部は、
前記報知装置による報知動作の種別に基づいて前記報知装置を選択する、
ことを特徴とする請求項３又は４に記載の情報処理装置。
【請求項７】
前記報知装置による前記報知動作の開始から待ち時間内に前記操作入力検出部によって前記ユーザの操作入力が検出されない場合、
前記調整部は、
前記報知装置による前記報知動作を変更するように前記指示部の指示内容を調整する、
ことを特徴とする請求項１乃至６のいずれか一項に記載の情報処理装置。
【請求項８】
ユーザに報知する事象が発生したことを前記ユーザに報知可能な報知装置に関する情報を含む周辺情報を取得する情報取得工程と、
前記事象が発生したことを前記ユーザに報知する報知動作を前記報知装置に指示する指示工程と、
前記情報取得工程において取得された周辺情報に基づいて前記指示部の指示内容を調整する調整工程と、
を含む情報処理方法。
【請求項９】
コンピュータを、
ユーザに報知する事象が発生したことを前記ユーザに報知可能な報知装置に関する情報を含む周辺情報を取得する情報取得部、
前記事象が発生したことを前記ユーザに報知する報知動作を前記報知装置に指示する指示部、
前記情報取得部によって取得された周辺情報に基づいて前記指示部の指示内容を調整する調整部、
として機能させるプログラム。
【請求項１０】
情報処理装置と前記情報処理装置との間で通信可能な報知装置とから構成される通信システムであって、
前記情報処理装置は、
ユーザに報知する事象が発生したことを前記ユーザに報知可能な前記報知装置に関する情報を含む周辺情報を取得する情報取得部と、
前記事象が発生したことを前記ユーザに報知する報知動作を前記報知装置に指示する指示部と、
前記情報取得部によって取得された周辺情報に基づいて前記指示部の指示内容を調整する調整部と、
を備え、
前記報知装置は、
前記指示部による指示に従って前記報知動作を実行する、
ことを特徴とする通信システム。
【発明の詳細な説明】
【技術分野】
【０００１】
本発明は、情報処理装置、情報処理方法、プログラム及び通信システムに関する。
【背景技術】
【０００２】
携帯電話等の携帯端末は、電話等の着呼を音、振動、表示等によってユーザに報知する。しかし、携帯端末がユーザの身近にない場合等には、ユーザが報知に気づかずに、着呼に対応できないことがある。
【０００３】
携帯電話装置に着信があった場合に、ユーザに着信を告知する腕時計型の情報機器が開示されている（例えば、特許文献１参照）。特許文献１に開示された情報機器によれば、ユーザが携帯電話装置を鞄などに入れていても、情報機器の告知によって着信を知ることができる。このため、ユーザは、携帯端末の着信に迅速に対応できる。
【０００４】
自機と通信可能な機器を検索し、検索された機器を介して、携帯端末への呼び出しをユーザに報知する通信システムが開示されている（例えば、特許文献２参照）。特許文献２に開示された通信システムでは、携帯端末への呼び出しが発生すると、携帯端末は、通信可能な機器を検索する。検索された機器は、音声の出力やメッセージの表示によって携帯端末への呼び出しの発生をユーザに報知するため、報知に気付いたユーザが呼び出しに応答できる。
【先行技術文献】
【特許文献】
【０００５】
【特許文献１】特開２００２−８４５７５号公報
【特許文献２】特開２００１−１８６５６６号公報
【発明の概要】
【発明が解決しようとする課題】
【０００６】
ところが、上記特許文献１に開示された情報機器では、ユーザが携帯電話装置への着信を知ることができるのは、ユーザが情報機器を身につけているときに限られる。このため、例えば、在宅時に情報機器を身につけていない場合には、ユーザは告知に気付かず、着信に対応できない場合がある。
【０００７】
上記特許文献２に開示された通信システムでは、検索された機器がユーザの近くにない場合には、ユーザが報知に気付かず、呼び出しに応答できないことがある。
【０００８】
本発明は、上記実情に鑑みてなされたものであり、より確実にユーザに事象を報知できる情報処理装置、情報処理方法、プログラム及び通信プログラムを提供することを目的とする。
【課題を解決するための手段】
【０００９】
上記目的を達成するため、本発明の第１の観点に係る情報処理装置は、
ユーザに報知する事象が発生したことを前記ユーザに報知可能な報知装置に関する情報を含む周辺情報を取得する情報取得部と、
前記事象が発生したことを前記ユーザに報知する報知動作を前記報知装置に指示する指示部と、
前記情報取得部によって取得された周辺情報に基づいて前記指示部の指示内容を調整する調整部と、
を備える。
【００１０】
また、本発明の第２の観点に係る情報処理方法は、
ユーザに報知する事象が発生したことを前記ユーザに報知可能な報知装置に関する情報を含む周辺情報を取得する情報取得工程と、
前記事象が発生したことを前記ユーザに報知する報知動作を前記報知装置に指示する指示工程と、
前記情報取得工程において取得された周辺情報に基づいて前記指示部の指示内容を調整する調整工程と、
を含む。
【００１１】
また、本発明の第３の観点に係るプログラムは、
コンピュータを、
ユーザに報知する事象が発生したことを前記ユーザに報知可能な報知装置に関する情報を含む周辺情報を取得する情報取得部、
前記事象が発生したことを前記ユーザに報知する報知動作を前記報知装置に指示する指示部、
前記情報取得部によって取得された周辺情報に基づいて前記指示部の指示内容を調整する調整部、
として機能させる。
【００１２】
また、本発明の第４の観点に係る通信システムは、
情報処理装置と前記情報処理装置との間で通信可能な報知装置とから構成される通信システムであって、
前記情報処理装置は、
ユーザに報知する事象が発生したことを前記ユーザに報知可能な前記報知装置に関する情報を含む周辺情報を取得する情報取得部と、
前記事象が発生したことを前記ユーザに報知する報知動作を前記報知装置に指示する指示部と、
前記情報取得部によって取得された周辺情報に基づいて前記指示部の指示内容を調整する調整部と、
を備え、
前記報知装置は、
前記指示部による指示に従って前記報知動作を実行する。
【発明の効果】
【００１３】
本発明によれば、周辺情報に基づいて調整された指示内容で報知動作が指示されるので、より確実にユーザに事象を報知できる。
【図面の簡単な説明】
【００１４】
【図１】本発明の実施形態に係る通信システムの構成を示す図である。
【図２】図１に係る携帯端末、スピーカシステム及びテレビの各構成を示すブロック図である。
【図３】記憶部に記憶されるテーブルの一例を示す図（その１）である。
【図４】本発明の実施形態１に係る報知処理のフローチャートである。
【図５】本発明の実施形態２に係るスピーカシステム及びテレビの各構成を示すブロック図である。
【図６】本発明の実施形態３に係る報知動作テーブルの一例を示す図である。
【図７】記憶部に記憶されるテーブルの一例を示す図（その２）である。
【図８】本発明の実施形態４に係る報知処理のフローチャートである。
【図９】本発明の実施形態５に係る携帯端末の構成を示すブロック図である。
【図１０】実施形態５に係る報知処理のフローチャートである。
【図１１】実施形態５に係る待ち時間の調整処理のフローチャートである。
【図１２】本発明の実施形態６に係る情報処理装置及び報知装置の各構成を示すブロック図である。
【図１３】実施形態６に係る報知処理のフローチャートである。
【発明を実施するための形態】
【００１５】
本発明の実施形態について、図面を参照して詳細に説明する。
【００１６】
（実施形態１）
図１に示すように、本実施形態に係る通信システム１は、情報処理装置としての携帯端末１００と、報知装置としてのスピーカシステム２００及びテレビ３００とを備える。携帯端末１００は、通話機能、電子メール送受信機能、インターネット上のサイト閲覧機能、ゲーム機能等を備える。スピーカシステム２００は、音楽再生装置（不図示）等から供給される音声データに基づいて音声を出力する。テレビ３００は、テレビ放送等を視聴する機能を備える他、外部から入力された画像や音声を出力する。
【００１７】
図２は、携帯端末１００、スピーカシステム２００及びテレビ３００各々のシステム構成を示す。
【００１８】
携帯端末１００は、音声部１１と、スピーカ１２と、マイクロフォン１３と、操作部１４と、表示部１５と、通信部１６と、記憶部１７と、ＣＰＵ１８（Central Processing Unit）とを備える。
【００１９】
音声部１１は、Ｄ／Ａ変換器、Ａ／Ｄ変換器（いずれも不図示）等を備える。音声部１１は、Ｄ／Ａ変換器を用いて、通信部１６又はＣＰＵ１８から入力された音声データをアナログ音声信号に変換する。音声部１１は、スピーカ１２を介してアナログ音声信号を音声として出力する。マイクロフォン１３は、入力された音声をアナログ音声信号に変換し、音声部１１に入力する。音声部１１は、Ａ／Ｄ変換器を用いて、アナログ音声信号を音声データに変換する。音声部１１は、変換された音声データを通信部１６又はＣＰＵ１８に入力する。
【００２０】
音声部１１は、報知部として機能し、例えば、電話の着呼、電子メールの受信、アラーム、アプリケーションソフトウエアプログラム（以下、「アプリケーション」と略称する）の更新等のユーザに報知する事象が発生したことを、スピーカ１２を介して報知音を出力することにより報知する。
【００２１】
操作部１４は、キーボタン、スイッチボタン（いずれも不図示）等を備える。操作部１４は、ユーザによって入力された操作に対応する操作入力信号をＣＰＵ１８に出力する。例えば、操作入力信号は、携帯端末１００の電源オンオフ、通話開始、アラームの停止、電話番号の入力、電子メールの本文作成、インターネット上のサイトのスクロール等に対応するものがある。
【００２２】
表示部１５は、例えば液晶ディスプレイ等の画面（不図示）を備える。表示部１５は、ユーザが携帯端末１００の機能を利用するために必要な各種の情報を画面に表示する。例えば、各種の情報には、電源状態、電波強度、未対応の着呼の有無、未読メールの有無、インターネット接続時におけるインターネット上のサイト等のデータ等がある。
【００２３】
表示部１５は、報知部として機能し、ユーザに報知する事象が発生したことを画面に報知画像を表示することにより報知する。例えば、表示部１５は、電話の着呼があると、「電話の着呼あり」と表示する。
【００２４】
通信部１６は、アンテナ（不図示）を備える。通信部１６は、アンテナを介して公衆基地局から受信した無線信号の周波数の変換、復調等を行う。通信部１６は、アンテナを介して公衆基地局に送信される無線信号を生成するためにベースバンド信号の周波数の変換、変調等を行う。
【００２５】
通信部１６は、スピーカシステム２００及びテレビ３００と通信する。より詳細には、通信部１６は、Ｂｌｕｅｔｏｏｔｈ（登録商標）等の近距離無線通信機能によって、スピーカシステム２００、テレビ３００各々との間でデータ通信が可能である。近距離無線通信機能は、例えば、無線通信規格（IEEE 802.15.1）に準拠する通信用のインタフェースである。携帯端末１００は、スピーカシステム２００、テレビ３００各々との間であらかじめ相互認証している。マスタとしての携帯端末１００は、近距離無線通信機能のプロトコルに従って、スレイブとしてのスピーカシステム２００及びテレビ３００各々との間でデータを送受信し、スピーカシステム２００及びテレビ３００を制御することができる。
【００２６】
記憶部１７は、例えば、ＲＯＭ（Read Only Memory）、ＲＡＭ（Random Access Memory）等の読み書き可能なメモリ（不図示）を備える。記憶部１７は、音声データ、画像データ、文字データ、ＣＰＵ１８によって実行制御されるソフトウエアプログラム等の各種データを記憶する。音声データは、人の発する声に限らず、例えば、呼び鈴などの呼び出し音、ビープ音、アラーム音、所定のメロディ等のデータを含む。また、ソフトウエアプログラムの中には、アプリケーションやＯＳ（Operating System）のような基本ソフトウエアプログラムなどが含まれている。
【００２７】
記憶部１７は、応答有無情報と報知装置情報とを記憶する。応答有無情報は、ユーザへの事象の発生の報知に対してユーザが操作入力等によって応答したか否かを示す情報である。例えば、電話の着呼の報知に対してユーザが通話を開始するボタンを押下した場合には、応答有無情報として「１」が記憶され、電話の着呼を報知したにも関わらずユーザが応答しなかった場合には、応答有無情報として「０」が記憶される。
【００２８】
報知装置情報は、事象が発生したことをユーザに報知する報知動作を指示するために、携帯端末１００がスピーカシステム２００又はテレビ３００と通信したことを示す情報である。報知動作を指示するために、携帯端末１００がスピーカシステム２００と通信した場合には、報知装置情報として「スピーカシステム２００」の識別情報が記憶される。報知動作を指示するために、テレビ３００と通信した場合には、報知装置情報として「テレビ３００」の識別情報が記憶される。
【００２９】
例えば、図３に示すように、記憶部１７は、事象が発生した日時と、事象の種別と、応答有無情報と、報知装置情報とが関連付けられたテーブルを記憶する。「１月３日２０時２３分３秒」における「電話の着呼」の報知に対しては、ユーザが通話を開始するボタンを押下したので応答有無情報として「１」が記憶される。このとき、ユーザが携帯端末１００による報知に気付いて着呼に対応したため、携帯端末１００は報知動作を指示するためにスピーカシステム２００及びテレビ３００と通信しなかったとする。この場合、報知装置情報は初期状態のままで何も記憶されない。
【００３０】
「１月４日１３時３４分５３秒」における「アラーム」の報知に対しては、ユーザがアラームを停止するボタンを押下したので応答有無情報として「１」が記憶される。このとき、ユーザが携帯端末１００による報知に気付かずにアラームを停止するボタンを押下しなかったことにより、携帯端末１００は報知動作を指示するためにスピーカシステム２００と通信したとする。この場合、報知装置情報として「スピーカシステム２００」が記憶される。
【００３１】
「１月４日１８時４３分３２秒」における「電話の着呼」の報知に対しては、ユーザが通話を開始するボタンを押下しなかったので応答有無情報として「０」が記憶される。このとき、ユーザが携帯端末１００による報知に気付かずに、通話を開始するボタンを押下しなかったことにより、携帯端末１００は報知動作を指示するためにスピーカシステム２００及びテレビ３００と通信したとする。この場合、報知装置情報として「スピーカシステム２００」、「テレビ３００」が記憶される。
【００３２】
このように、テーブルを参照すれば、報知の履歴と、ユーザによる報知に対する応答の有無と、携帯端末１００が報知動作の指示のために通信した報知装置がわかるようになっている。
【００３３】
図２に戻り、ＣＰＵ１８は、情報取得部１８１と、操作入力検出部１８２と、指示部１８３と、調整部１８４とを備える。ＣＰＵ１８は、記憶部１７に記憶されたソフトウエアプログラムを実行制御することにより、音声部１１、操作部１４、表示部１５、通信部１６、記憶部１７を統括制御し、以下の各種機能を実現する。
【００３４】
情報取得部１８１は、ユーザに報知する事象が発生したことをユーザに報知可能なスピーカシステム２００及びテレビ３００に関する情報を含む周辺情報を取得する。より詳細には、情報取得部１８１は、ユーザに事象が発生したことを報知可能な報知装置としてスピーカシステム２００及びテレビ３００を探索する。スピーカシステム２００及びテレビ３００を探索するために、情報取得部１８１は、スピーカシステム２００及びテレビ３００にそれぞれ設定されている固有のＩＤ情報を用いる。携帯端末１００は、スピーカシステム２００及びテレビ３００各々とあらかじめ相互認証した際に、スピーカシステム２００及びテレビ３００のＩＤ情報を記憶部１７に記憶する。近距離無線通信機能として、例えばＢｌｕｅｔｏｏｔｈ（登録商標）を用いる場合は、ＩＤ情報としてＢＤアドレスを用いる。ＢＤアドレスは、Ｂｌｕｅｔｏｏｔｈ（登録商標）を備える装置等に付与される、０から９までの数字とＡからＦまでのアルファベットで構成された１２桁の文字列である。
【００３５】
情報取得部１８１は、記憶部１７を参照してＩＤ情報を取得し、ＩＤ情報に基づいてスピーカシステム２００及びテレビ３００に対して通信部１６を介して通信接続を要求する。通信接続を要求されたスピーカシステム２００及びテレビ３００は、通信接続の要求に応じて携帯端末１００との間で通信接続を確立する。スピーカシステム２００及びテレビ３００との通信接続が確立されることによって、情報取得部１８１は、報知装置としてスピーカシステム２００及びテレビ３００が利用可能であることを周辺情報として取得する。
【００３６】
操作入力検出部１８２は、ユーザの操作入力を検出する。例えば、ユーザが電話の着呼の報知に対して通話を開始するボタンを押下した場合には、操作入力検出部１８２は、通話を開始するボタンの押下に対応する操作入力信号を検出する。
【００３７】
指示部１８３は、事象が発生したことをユーザに報知する報知動作を音声部１１又は表示部１５に指示する。より具体的には、指示部１８３は、事象が発生すると、記憶部１７に記憶された音声データを取得し、音声部１１に音声データを出力するとともに、スピーカ１２を介した報知音の出力を指示する。指示部１８３は、記憶部１７に記憶された画像データを取得し、表示部１５に画像データを出力するとともに、表示部１５に報知画像の画面への表示を指示する。
【００３８】
指示部１８３は、音声部１１への報知音の出力及び表示部１５への報知画像の表示を指示した後に、ユーザによる操作入力が操作入力検出部１８２によって検出されると、音声部１１に報知音の停止を指示し、表示部１５に報知画像の表示の停止を指示する。
【００３９】
指示部１８３は、事象が発生したことをユーザに報知する報知動作をスピーカシステム２００及びテレビ３００に通信部１６を介して指示する。より詳細には、指示部１８３は、音声部１１による報知音の出力及び表示部１５による報知画像の表示の開始から待ち時間内に操作入力検出部１８２によってユーザの操作入力が検出されなかった場合に、スピーカシステム２００及びテレビ３００に対して報知動作を指示する。
【００４０】
指示部１８３は、スピーカシステム２００及びテレビ３００に報知動作を指示した後に、ユーザによる操作入力が操作入力検出部１８２によって検出されると、スピーカシステム２００及びテレビ３００に対して通信部１６を介して報知動作の停止を指示する。
【００４１】
調整部１８４は、記憶部１７に記憶されたテーブルを更新する。例えば、電話の着呼が発生すると、調整部１８４は、電話の着呼が発生した日時を記憶部１７に記憶されたテーブルに追加する。操作入力検出部１８２によってユーザによる通話を開始するボタンの押下が検出された場合には、調整部１８４は、電話の着呼が発生した日時に対応する応答有無情報を「１」に更新する。また、調整部１８４は、指示部１８３によって音声データと報知音の出力の指示とが通信部１６を介してスピーカシステム２００に送信されると、テーブルの報知装置情報に「スピーカシステム２００」を追加することによってテーブルを更新する。
【００４２】
調整部１８４は、情報取得部１８１によって取得された周辺情報に基づいて指示部１８３の指示内容を調整する。より詳細には、情報取得部１８１によってスピーカシステム２００及びテレビ３００に関する情報が周辺情報として取得された場合、調整部１８４は、スピーカシステム２００又はテレビ３００を選択し、選択されたスピーカシステム２００又はテレビ３００に報知動作を指示するように指示部１８３の指示内容を調整する。
【００４３】
電話の着呼を報知する音声部１１による報知音の出力及び表示部１５による報知画像の表示の開始から、例えば３０秒以内に操作入力検出部１８２によってユーザによる通話の開始のボタンの押下に対応する操作入力信号が検出されなかった場合を説明する。調整部１８４は、記憶部１７に記憶されたテーブルの報知装置情報を参照し、情報取得部１８１によって検出されたスピーカシステム２００が未通信の報知装置か否かを判定する。電話の着呼に対応する報知装置情報内に「スピーカシステム２００」が記憶されていない場合、スピーカシステム２００が未通信の報知装置と判定される。調整部１８４は、報知動作を指示する報知装置としてスピーカシステム２００を選択し、選択されたスピーカシステム２００に報知動作を指示するように指示部１８３の指示内容を調整する。
【００４４】
スピーカシステム２００による報知動作の開始から待ち時間内に操作入力検出部１８２によってユーザの操作入力が検出されない場合、調整部１８４は、選択する報知装置をテレビ３００に切り替えるように指示部１８３の指示内容を調整する。
【００４５】
例えば、スピーカシステム２００に報知音の出力が指示され、スピーカシステム２００から報知音が出力されてから３０秒以内に操作入力検出部１８２によってユーザによる通話の開始のボタンの押下に対応する操作入力信号が検出されなかった場合を説明する。調整部１８４は、記憶部１７に記憶されたテーブルの報知装置情報を参照し、情報取得部１８１によって探索されたテレビ３００が未通信の報知装置か否かを判定する。電話の着呼に対応する報知装置情報内に「テレビ３００」が記憶されていない場合、テレビ３００が未通信の報知装置と判定される。調整部１８４は、報知動作を指示する報知装置としてテレビ３００を選択し、選択されたテレビ３００に報知動作を指示するように指示部１８３の指示内容を調整する。
【００４６】
スピーカシステム２００は、通信部２１と、音声部２２と、スピーカ２３と、操作部２４と、制御部２５とを備える。
【００４７】
通信部２１は、近距離無線通信機能のプロトコルに従って、携帯端末１００との間でデータを送受信する。
【００４８】
音声部２２は、Ｄ／Ａ変換器、メモリ（いずれも不図示）等を備える。音声部２２は、Ｄ／Ａ変換器を用いて、メモリに記憶された音声データ又は制御部２５から出力された音声データをアナログ音声信号に変換する。音声部２２は、スピーカ２３を介してアナログ音声信号を音声として出力する。
【００４９】
操作部２４は、電源ボタン、ボリューム（いずれも不図示）等を備える。操作部２４は、ユーザによって入力された操作に対応する操作入力信号を制御部２５に出力する。例えば、操作入力信号は、スピーカシステム２００の電源オンオフ、ボリュームの変更等に対応する操作入力信号である。
【００５０】
制御部２５は、ＣＰＵ及びＲＯＭ、ＲＡＭ等の読み書き可能なメモリ（いずれも不図示）等を備える。ＣＰＵがメモリに記憶されたプログラムを実行制御することにより、制御部２５は、通信部２１、音声部２２、操作部２４を統括制御し、以下の各種機能を実現する。
【００５１】
制御部２５は、携帯端末１００による指示に従って報知動作を実行する。制御部２５は、携帯端末１００から通信部２１を介して音声データと報知音の出力の指示とを受信する。制御部２５は、受信した音声データを音声部２２に出力し、報知音の出力を指示する。報知音の出力の指示を受けて、音声部２２は、音声データをアナログ音声信号に変換し、スピーカ２３を介してアナログ音声信号を報知音として出力する。
【００５２】
制御部２５は、携帯端末１００から通信部２１を介して報知音の停止の指示を受信すると、音声部２２に報知音の停止を指示する。報知音の停止の指示を受けて、音声部２２は、報知音を停止する。
【００５３】
テレビ３００は、通信部３１と、音声部３２と、スピーカ３３と、表示部３４と、操作部３５と、制御部３６とを備える。
【００５４】
通信部３１、音声部３２、スピーカ３３はそれぞれ、スピーカシステム２００の通信部２１、音声部２２、スピーカ２３と同じであるため、説明を省略する。
【００５５】
表示部３４は、メモリと画面（いずれも不図示）等を備える。表示部３４は、メモリに記憶された画像データ又は制御部３６から出力された画像データに基づいて報知画像を画面上に表示する。
【００５６】
操作部３５は、電源ボタン、ボリューム、チャンネル切換ボタン（いずれも不図示）等を備える。操作部３５は、ユーザによって入力された操作に対応する操作入力信号を制御部３６に出力する。例えば、操作入力信号は、テレビ３００の電源オンオフ、ボリュームの変更、チャンネルの切換等に対応する操作入力信号である。
【００５７】
制御部３６は、ＣＰＵ及びＲＯＭ、ＲＡＭ等の読み書き可能なメモリ（いずれも不図示）等を備える。ＣＰＵがメモリに記憶されたプログラムを実行制御することにより、制御部３６は、通信部３１、音声部３２、表示部３４、操作部３５を統括制御し、以下の各種機能を実現する。
【００５８】
制御部３６は、携帯端末１００による指示に従って報知動作を実行する。制御部３６は、携帯端末１００から通信部３１を介して音声データと報知音の出力の指示とを受信する。制御部３６は、受信した音声データを音声部３２に出力し、報知音の出力を指示する。報知音の出力の指示を受けて、音声部３２は、音声データをアナログ音声信号に変換し、スピーカ３３を介してアナログ音声信号を報知音として出力する。
【００５９】
制御部３６は、携帯端末１００から通信部３１を介して画像データと報知画像の表示の指示とを受信する。制御部３６は、受信した画像データを表示部３４に出力し、報知画像の表示を指示する。報知画像の表示の指示を受けて、表示部３４は、画面上に画像データに基づく報知画像を表示する。例えば、携帯端末１００への電話の着呼を報知する場合、表示部３４は、「携帯端末１００に着呼あり」と表示する。
【００６０】
制御部３６は、携帯端末１００から通信部３１を介して報知音の停止の指示を受信すると、音声部３２に報知音の停止を指示する。報知音の停止の指示を受けて、音声部３２は、報知音を停止する。
【００６１】
制御部３６は、携帯端末１００から通信部３１を介して報知画像の表示の停止の指示を受信すると、表示部３４に報知画像の表示の停止を指示する。報知画像の表示の停止の指示を受けて、表示部３４は、報知画像の表示を停止する。
【００６２】
図４を参照しながら、報知処理のフローを説明する。以下では、ユーザに報知する事象が携帯端末１００への電話の着呼であることを前提として説明する。また、待ち時間は３０秒とする。
【００６３】
携帯端末１００への電話の着呼によって本処理は開始される。電話の着呼があると、調整部１８４は、電話の着呼を処理する（ステップＳ１）。より詳細には、調整部１８４は、電話の着呼が発生した日時を記憶部１７に記憶されたテーブルに追加する。指示部１８３は、音声データ及び画像データを音声部１１及び表示部１５に送信し、報知音の出力及び報知画像の表示を音声部１１及び表示部１５に指示する（ステップＳ２）。これにより、音声部１１は報知音を出力し、表示部１５は報知画像を表示する。
【００６４】
操作入力検出部１８２が、３０秒以内にユーザが通話を開始するボタンを押下することによる操作入力を検出した場合（ステップＳ３；Ｙｅｓ）、指示部１８３は、音声部１１及び表示部１５に報知音及び報知画像の表示の停止を指示する（ステップＳ４）。この結果、報知音が停止し、報知画像が消える。調整部１８４は、テーブルにおける電話の着呼が発生した日時に対応する応答有無情報を「１」に更新する（ステップＳ５）。調整部１８４は、報知処理を終了する。
【００６５】
一方、操作入力検出部１８２が、３０秒以内にユーザが通話を開始するボタンを押下することによる操作入力を検出しなかった場合（ステップＳ３；Ｎｏ）、指示部１８３は、音声部１１及び表示部１５に報知音及び画像の表示の停止を指示する（ステップＳ６）。この結果、報知音が停止し、報知画像が消える。次に、情報取得部１８１は、周辺情報を取得するためにスピーカシステム２００及びテレビ３００を探索する（ステップＳ７）。
【００６６】
調整部１８４は、記憶部１７に記憶されたテーブルの報知装置情報を参照し、探索されたスピーカシステム２００及びテレビ３００が未通信の報知装置であるか否かを判定する（ステップＳ８）。スピーカシステム２００及びテレビ３００がいずれも未通信の報知装置でないと判定された場合（ステップＳ８；Ｎｏ）、調整部１８４は、テーブルにおける電話の着呼が発生した日時に対応する応答有無情報を「０」に更新する（ステップＳ５）。調整部１８４は、報知処理を終了する。
【００６７】
一方、探索されたスピーカシステム２００又はテレビ３００が未通信の報知装置と判定された場合（ステップＳ８；Ｙｅｓ）、調整部１８４は、報知動作を指示する報知装置として、例えばスピーカシステム２００を選択する（ステップＳ９）。指示部１８３は、選択されたスピーカシステム２００に通信部１６を介して音声データを送信し、報知音の出力を指示する（ステップＳ１０）。この結果、スピーカシステム２００は、スピーカ２３を介して報知音を出力する。
【００６８】
調整部１８４は、テーブルにおける電話の着呼が発生した日時に対応する報知装置情報に「スピーカシステム２００」を加えることにより報知装置情報を更新する（ステップＳ１１）。調整部１８４は、ステップＳ３に戻る。
【００６９】
スピーカシステム２００による報知音に気付いたユーザによって３０秒以内に通話を開始するボタンが押下されることにより、操作入力検出部１８２が操作入力を検出すると（ステップＳ３；Ｙｅｓ）、指示部１８３は、スピーカシステム２００に報知音の停止を指示する（ステップＳ４）。この結果、スピーカシステム２００は、報知音を停止する。調整部１８４は、テーブルにおける電話の着呼が発生した日時に対応する応答有無情報を「１」に更新する（ステップＳ５）。調整部１８４は、報知処理を終了する。
【００７０】
一方、操作入力検出部１８２が、３０秒以内にユーザが通話を開始するボタンを押下することによる操作入力を検出しなかった場合（ステップＳ３；Ｎｏ）、指示部１８３は、スピーカシステム２００に対して報知音の停止を指示する（ステップＳ６）。この結果、音声部２２は、報知音を停止する。次に情報取得部１８１は、周辺情報を取得するためにスピーカシステム２００及びテレビ３００を探索する（ステップＳ７）。
【００７１】
調整部１８４は、記憶部１７に記憶されたテーブルの報知装置情報を参照し、探索されたスピーカシステム２００及びテレビ３００の内、テレビ３００を未通信の報知装置と判定する（ステップＳ８；Ｙｅｓ）。調整部１８４は、報知動作を指示する報知装置としてテレビ３００を選択する（ステップＳ９）。指示部１８３は、選択されたテレビ３００に通信部１６を介して音声データ及び画像データを送信し、報知音の出力及び報知画像の表示を指示する（ステップＳ１０）。この結果、テレビ３００は、スピーカ３３を介して報知音の出力し、画面上に報知画像を表示する。
【００７２】
調整部１８４は、テーブルにおける電話の着呼が発生した日時に対応する報知装置情報に「テレビ３００」を加えることにより報知装置情報を更新する（ステップＳ１１）。調整部１８４は、ステップＳ３に戻る。
【００７３】
テレビ３００による報知音及び報知画像に気付いたユーザによって３０秒以内に通話を開始するボタンが押下されることにより、操作入力検出部１８２が操作入力を検出すると（ステップＳ３；Ｙｅｓ）、指示部１８３は、テレビ３００に報知動作の停止を指示する（ステップＳ４）。この結果、テレビ３００は報知音を停止し、画面上の報知画像の表示を停止する。調整部１８４は、ステップＳ５を経て報知処理を終了する。
【００７４】
一方、操作入力検出部１８２が、３０秒以内にユーザが通話を開始するボタンを押下することによる操作入力を検出しなかった場合（ステップＳ３；Ｎｏ）、指示部１８３は、テレビ３００に報知音及び報知画像の表示の停止を指示する（ステップＳ６）。次に、情報取得部１８１は、周辺情報を取得するためにスピーカシステム２００及びテレビ３００を探索する（ステップＳ７）。
【００７５】
調整部１８４は記憶部１７に記憶されたテーブルの報知装置情報を参照し、探索されたスピーカシステム２００及びテレビ３００はいずれも未通信の報知装置でないと判定する（ステップＳ８；Ｎｏ）。調整部１８４は、テーブルにおける電話の着呼が発生した日時に対応する応答有無情報を「０」に更新する（ステップＳ５）。調整部１８４は、報知処理を終了する。
【００７６】
（実施形態２）
本実施形態に係る携帯端末１００、スピーカシステム２００及びテレビ３００の各構成は、上記実施形態１における各構成と同じである。ただし、情報取得部１８１及び調整部１８４の動作が異なる。情報取得部１８１は、周辺情報としてユーザとスピーカシステム２００又はテレビ３００との位置関係に関する情報を取得する。調整部１８４は、位置関係に基づいてスピーカシステム２００又はテレビ３００を選択する。
【００７７】
スピーカシステム２００及びテレビ３００は、自機に対する操作入力があると、それぞれ通信部２１及び通信部３１を介して携帯端末１００に信号を送信する。ユーザがスピーカシステム２００又はテレビ３００に操作入力を行ったときには、ユーザがスピーカシステム２００又はテレビ３００の近くにいると考えられるため、調整部１８４は、ユーザとスピーカシステム２００又はテレビ３００との位置関係に関する情報としての信号に基づいてスピーカシステム２００又はテレビ３００を選択する。
【００７８】
例えば、スピーカシステム２００に対して入力された操作に対応する操作入力信号が、操作部２４を介して制御部２５に入力されると、制御部２５は、通信部２１に携帯端末１００への信号の送信を指示する。指示を受けた通信部２１は、携帯端末１００の情報取得部１８１からの通信接続の要求に応じて通信接続を確立する際に、携帯端末１００に信号を送信する。
【００７９】
また、図５に示すように、スピーカシステム２００及びテレビ３００は、上記実施形態１における構成に加えて、各々が人感センサ２６、３７を備えるようにしてもよい。人感センサ２６、３７によって自機の近くにユーザがいることが検出されると、スピーカシステム２００及びテレビ３００は、それぞれ通信部２１及び通信部３１を介して携帯端末１００に信号を送信する。例えば、人感センサ２６、３７は、人体から放射される赤外線等を検出して自機の近くにユーザがいることを検出する。
【００８０】
例えば、人感センサ２６によってスピーカシステム２００の近くにユーザがいることが検出されると、制御部２５は、通信部２１に携帯端末１００への信号の送信を指示する。指示を受けた通信部２１は、携帯端末１００の情報取得部１８１からの通信接続の要求に応じて通信接続を確立する際に、携帯端末１００に信号を送信する。
【００８１】
情報取得部１８１は、通信部１６を介して、スピーカシステム２００から送信された信号を受信すると、記憶部１７から送信元のスピーカシステム２００に対応するＩＤ情報を取得して、ＩＤ情報を調整部１８４に出力する。調整部１８４は、情報取得部１８１によって出力されたＩＤ情報を記憶しておき、ＩＤ情報に基づいて報知動作を指示する報知対象としてスピーカシステム２００を選択する。
【００８２】
上記実施形態１における報知処理のフロー（図４参照）において、例えば、ステップＳ８において、スピーカシステム２００及びテレビ３００のいずれもが未通信の報知装置と判定された場合、ステップＳ９では、調整部１８４は、信号の送信元として記憶されたＩＤ情報に対応するスピーカシステム２００を選択する。
【００８３】
（実施形態３）
本実施形態に係る携帯端末１００、スピーカシステム２００及びテレビ３００の各構成は、上記実施形態１における各構成と同じである。ただし、情報取得部１８１及び調整部１８４の動作が異なる。情報取得部１８１は、周辺情報としてスピーカシステム２００及びテレビ３００による報知動作の種別に関する情報を取得する。調整部１８４は、スピーカシステム２００及びテレビ３００による報知動作の種別に基づいて報知装置を選択する。
【００８４】
例えば、記憶部１７は、図６に示すような報知装置と報知装置が実行可能な報知動作の種別とが対応付けられた報知動作テーブルを記憶する。スピーカシステム２００は、報知音の出力が可能なため、報知動作の種別「報知音」が「１」になっている。スピーカシステム２００は、報知画像の表示はできないため、報知動作の種別「報知画像」は「０」になっている。一方、テレビ３００は、報知音の出力も報知画像の表示も可能なため、報知動作の種別「報知音」、「報知画像」ともに「１」になっている。
【００８５】
情報取得部１８１は、スピーカシステム２００及びテレビ３００を探索した際に（ステップＳ７）、記憶部１７に記憶された報知動作テーブルを参照して、スピーカシステム２００及びテレビ３００が実行可能な報知動作の種別を調整部１８４に通知する。調整部１８４は、報知音でユーザに報知する場合は、ステップＳ９でスピーカシステム２００及びテレビ３００を選択する。また、調整部１８４は、報知画像でユーザに報知する場合は、ステップＳ９でテレビ３００を選択する。報知動作の種別の選択は、あらかじめユーザによって設定されるようにしてもよい。
【００８６】
（実施形態４）
本実施形態に係る携帯端末１００、スピーカシステム２００及びテレビ３００の各構成は、上記実施形態１における構成と同じである。ただし、調整部１８４の動作が異なる。調整部１８４は、例えば、スピーカシステム２００による報知動作の開始から待ち時間内に操作入力検出部１８２によってユーザの操作入力が検出されない場合、スピーカシステム２００による報知動作を変更するように指示部１８３の指示内容を調整する。
【００８７】
例えば、最初のスピーカシステム２００への指示で、調整部１８４は、音量レベルが１０の報知音を出力するように指示内容を調整したとする。スピーカシステム２００による報知音の出力の開始から待ち時間内に操作入力検出部１８２によってユーザの操作入力が検出されない場合、調整部１８４は、音量レベルが２０の報知音を出力するようにスピーカシステム２００への指示内容を調整する。報知動作の変更は、音量レベルの変更に限らず、報知音の種別、音程、音色等の変更や報知画像の種別、色、明るさ等の変更でもよい。
【００８８】
調整部１８４は、指示部１８３によって報知音の出力がスピーカシステム２００に指示されると、テーブルの報知装置情報に「スピーカシステム２００」と記憶させると同時に、指示済みの報知動作の内容を記憶させる。例えば、図７に示すように、上記実施形態１で説明したテーブルにおいて、「１月４日１３時３４分５３秒」における「アラーム」の報知では、調整部１８４が、音量レベルが１０の報知音を出力するようにスピーカシステム２００への指示内容を調整した場合には、報知装置情報として「スピーカシステム２００：音量レベル１０」が記憶される。
【００８９】
「１月４日１８時４３分３２秒」における「電話の着呼」の報知では、調整部１８４がスピーカシステム２００への指示内容を音量レベルが２０の報知音を出力するように調整した場合には、報知装置情報として「スピーカシステム２００：音量レベル２０」が記憶される。さらに、「１月４日１８時４３分３２秒」における「電話の着呼」の報知では、調整部１８４が、音量レベルが１０の報知音を出力し、報知画像１を表示するようにテレビ３００への指示内容を調整した場合には、「テレビ３００：音量レベル１０、報知画像１」が記憶される。調整部１８４は、テーブルを参照することで、指示済みの報知動作を認識することができる。
【００９０】
図８を参照しながら、本実施形態に係る報知処理のフローを説明する。なお、以下では、上記実施形態１と同じ処理については省略し、異なる処理を主に説明する。
【００９１】
前提として、指示部１８３がスピーカシステム２００に音量レベルが１０の報知音を出力するように指示し（ステップＳ１０）、３０秒以内にユーザが通話を開始するボタンを押下することによる操作入力を検出しなかった（ステップＳ３；Ｎｏ）とする。
【００９２】
探索されたスピーカシステム２００及びテレビ３００が未通信の報知装置でないと判定されると（ステップＳ８；Ｎｏ）、調整部１８４は、未指示の報知動作があるか否かを判定する（ステップＳ１２）。未指示の報知動作がある場合（ステップＳ１２；Ｙｅｓ）、調整部１８４は、報知動作を指示する報知装置としてスピーカシステム２００を選択し、音量レベルが２０の報知音を出力するように指示内容を調整する（ステップＳ１３）。
【００９３】
この結果、初回の報知動作では、スピーカシステム２００から音量レベルが１０の報知音が出力されるのに対し、次回の報知動作では、音量レベルが２０の報知音が出力される。
【００９４】
（実施形態５）
図９は、本実施形態に係る携帯端末１００のシステム構成を示す。携帯端末１００は、上記実施形態１における構成に加えて、さらに照度センサ１９を備える。情報取得部１８１は、照度センサ１９を介して、周辺情報として周囲の明るさに関する情報である照度を取得する。調整部１８４は、取得された照度に応じて待ち時間を調整する。
【００９５】
例えば、調整部１８４は、照度センサ１９によって検出された照度が３００ルクス未満の場合、待ち時間を１５秒に調整し、３００ルクス以上の場合、待ち時間を３０秒に調整する。
【００９６】
図１０及び図１１を参照しながら、本実施形態における報知処理のフローを説明する。なお、以下では、上記実施形態１と同じ処理については省略し、異なる処理を主に説明する。
【００９７】
本実施形態における報知処理のフローでは、図１０に示すように、上記実施形態１にける報知処理のフローのステップＳ２とステップＳ３の間で待ち時間の調整処理（ステップＳ１４）が実行される。
【００９８】
図１１を参照して待ち時間の調整処理（ステップＳ１４）を詳細に説明する。
【００９９】
照度センサ１９は周囲の照度を検出する（ステップＳ２１）。調整部１８４は、照度センサ１９で検出された照度が３００ルクス以上か否かを判定する（ステップＳ２２）。照度が３００ルクス以上の場合（ステップＳ２２；Ｙｅｓ）、調整部１８４は、待ち時間を１５秒に調整する（ステップＳ２３）。一方、照度が３００ルクス未満の場合（ステップＳ２２；Ｎｏ）、調整部１８４は、待ち時間を３０秒に調整する（ステップＳ２４）。
【０１００】
図１０に戻り、指示部１８３は、調整部１８４によって調整された待ち時間の間、操作入力検出部１８２によって操作入力が検出されるのを待つ（ステップＳ３）。このため、例えば携帯端末１００が鞄等の暗い場所に置かれており、ユーザが携帯端末１００等による報知動作に気付きにくい状況では、携帯端末１００等による報知動作がより長く維持される。
【０１０１】
（実施形態６）
図１２に示すように、本実施形態に係る通信システム１は、情報処理装置４００と、報知装置５００とを備える。
【０１０２】
情報処理装置４００は、情報取得部１８１と、指示部１８３と、調整部１８４とを備える。
【０１０３】
情報取得部１８１は、ユーザに報知する事象が発生したことをユーザに報知可能な報知装置５００に関する情報を含む周辺情報を取得する。指示部１８３は、事象が発生したことをユーザに報知する報知動作を報知装置５００に指示する。調整部１８４は、情報取得部１８１によって取得された周辺情報に基づいて指示部１８３の指示内容を調整する。
【０１０４】
図１３を参照しながら、報知処理のフローを説明する。情報取得部１８１は、報知装置５００に関する情報を含む周辺情報を取得する（ステップＳ３１）。続いて、調整部１８４は、取得された周辺情報に基づいて指示内容を調整する（ステップＳ３２）。続いて、指示部１８３は、調整された指示内容で報知装置５００に報知動作を指示する（ステップＳ３３）。なお、指示内容の調整（ステップＳ３２）と報知動作の指示（ステップＳ３３）は同時であってもよい。
【０１０５】
以上、詳細に説明したように、上記各実施形態によれば、周辺情報に基づいて調整された指示内容で報知動作が指示されるので、より確実にユーザに事象を報知できる。
【０１０６】
また、上記実施形態２では、情報取得部１８１は、周辺情報としてユーザとスピーカシステム２００又はテレビ３００との位置関係に関する情報を取得し、調整部１８４は、位置関係に基づいてスピーカシステム２００又はテレビ３００を選択する。こうすることで、指示部１８３は、ユーザが近くにいるスピーカシステム２００又はテレビ３００に優先的に報知動作を指示する。この結果、携帯端末１００は、さらに確実にユーザに事象を報知できる。
【０１０７】
また、上記実施形態３では、情報取得部１８１は、周辺情報としてスピーカシステム２００及びテレビ３００による報知動作の種別に関する情報を取得し、調整部１８４は、スピーカシステム２００及びテレビ３００による報知動作の種別に基づいてスピーカシステム２００及びテレビ３００を選択するようにした。これにより、ユーザが例えば報知音による報知を望む場合に、指示部１８３は、報知動作として報知音の出力を可能な報知装置に限定して報知動作を指示できる。このため、携帯端末１００は、ユーザの状況により柔軟に対応した報知動作を指示できる。
【０１０８】
また、上記実施形態４では、スピーカシステム２００による報知動作の開始から待ち時間内に操作入力検出部１８２によってユーザの操作入力が検出されない場合、調整部１８４は、スピーカシステム２００から出力される報知音の音量レベルを１０から２０に変更するように指示内容を調整するようにした。こうすることで、例えば、音量が大きい報知音が再度出力されるので、ユーザは報知動作にさらに気付きやすくなる。
【０１０９】
また、上記実施形態５では、情報取得部１８１は、周辺情報として周囲の明るさに関する情報として照度を取得し、調整部１８４は、取得された照度に応じて待ち時間を調整することとした。これにより、周囲が暗い鞄の中に携帯端末１００が置かれる等、ユーザが携帯端末１００による報知動作に気付きにくい状況では、携帯端末１００による報知動作がより長い時間維持されるので、さらに確実にユーザに報知できる。
【０１１０】
なお、情報処理装置は、ＰＨＳ（Personal Handy-phone System）、ＰＤＡ（Personal Digital Assistant）、ＰＣ（Personal Computer）、ゲーム機等であってもよい。
【０１１１】
なお、上記実施形態１乃至５では、携帯端末１００と、スピーカシステム２００及びテレビ３００との間で通信に用いられる近距離無線通信機能は、無線通信規格（IEEE802.11）に準拠するＷｉＦｉ等の無線ＬＡＮ（Local Area Network）、可視光による通信でもよい。また、携帯端末１００と、スピーカシステム２００及びテレビ３００との間の通信は、無線に限らず有線であってもよい。
【０１１２】
なお、上記実施形態１乃至５では、報知装置が２つの場合を説明したが、報知装置が１つであっても３つ以上であってもよい。また、報知装置は、プリンタ、照明装置、ＰＣ等であってもよい。この場合、報知動作として、プリンタは、プリンタ用紙に文字等を印刷してもよく、照明装置は、照明のオンオフであってもよい。また、携帯端末１００及び報知装置による報知動作は、報知音の出力、報知画像の表示に限らず音、光の発光や点滅、本体の振動によるものであってもよい。
【０１１３】
なお、上記実施形態１乃至５では、調整部１８４は、指示部１８３に、１つの報知装置に報知動作を指示するようにしたが、複数の報知装置に同時に報知動作を指示するようにしてもよい。
【０１１４】
なお、上記実施形態１乃至５では、スピーカシステム２００、テレビ３００の順で報知動作を指示するようにしたが、報知動作を指示する順番は、ステップＳ７で情報取得部１８１が検出した順番でもよいし、ユーザがあらかじめ設定した順番であってもよい。
【０１１５】
なお、上記実施形態１乃至５の携帯端末１００による報知処理のフローにおいて、ステップＳ６はなくてもよい。こうすることで、継続して携帯端末１００自身から報知音が出力されながら、ステップＳ９において報知動作を指示されたスピーカシステム２００等によって報知音等が出力される。
【０１１６】
なお、周辺情報として周囲の明るさに関する情報は、光度等であってもよい。周辺情報として周囲の明るさに関する情報は、携帯端末１００が備えるカメラ（不図示）、光度センサ等によって取得するようにしてもよい。
【０１１７】
なお、情報取得部１８１は、近距離無線通信機能を用いて、自機とスピーカシステム２００及びテレビ３００との距離を周辺情報として取得してもよい。調整部１８４は、自機との距離が近い、例えば、テレビ３００を報知装置として選択するようにしてもよい。
【０１１８】
なお、上記各実施形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical disc）等のコンピュータ読み取り可能な記録媒体に格納して配布し、そのプログラムをインストールすることにより、上述の処理を実行するシステムを構成することとしてもよい。
【０１１９】
また、プログラムをインターネット等の通信ネットワーク上の所定のサーバ装置が有するディスク装置等に格納しておき、例えば、搬送波に重畳させて、ダウンロード等するようにしてもよい。
【０１２０】
なお、上述の機能を、ＯＳが分担して実現する場合又はＯＳとアプリケーションとの協働により実現する場合等には、ＯＳ以外の部分のみを媒体に格納して配布してもよく、また、ダウンロード等してもよい。
【０１２１】
なお、本発明は、上記実施形態及び図面によって限定されるものではない。本発明の要旨を変更しない範囲で実施形態及び図面に変更を加えることができるのはもちろんである。
【０１２２】
上記の実施形態の一部又は全部は、以下の付記のようにも記載されうるが、以下には限られない。
【０１２３】
（付記１）
ユーザに報知する事象が発生したことを前記ユーザに報知可能な報知装置に関する情報を含む周辺情報を取得する情報取得部と、
前記事象が発生したことを前記ユーザに報知する報知動作を前記報知装置に指示する指示部と、
前記情報取得部によって取得された周辺情報に基づいて前記指示部の指示内容を調整する調整部と、
を備える情報処理装置。
【０１２４】
（付記２）
前記事象が発生したことを報知する報知部と、
前記ユーザの操作入力を検出する操作入力検出部と、
をさらに備え、
前記指示部は、
前記報知部による報知の開始から待ち時間内に前記操作入力検出部によって前記ユーザの操作入力が検出されなかった場合に、前記報知装置に対して前記報知動作を指示する、
ことを特徴とする付記１に記載の情報処理装置。
【０１２５】
（付記３）
前記情報取得部によって複数の前記報知装置に関する情報が前記周辺情報として取得された場合、
前記調整部は、
前記事象が発生したことを報知する報知装置を選択し、前記調整部により選択された前記報知装置に報知動作を指示するように前記指示部の指示内容を調整する、
ことを特徴とする付記１又は２に記載の情報処理装置。
【０１２６】
（付記４）
前記報知動作の開始から待ち時間内に前記操作入力検出部によって前記ユーザの操作入力が検出されない場合、
前記調整部は、
選択する報知装置を切り替えるように前記指示部の指示内容を調整する、
ことを特徴とする付記３に記載の情報処理装置。
【０１２７】
（付記５）
前記情報取得部は、
前記周辺情報として前記ユーザと前記報知装置との位置関係に関する情報を取得し、
前記調整部は、
前記位置関係に基づいて前記報知装置を選択する、
ことを特徴とする付記３又は４に記載の情報処理装置。
【０１２８】
（付記６）
前記情報取得部は、
前記周辺情報として前記報知装置による報知動作の種別に関する情報を取得し、
前記調整部は、
前記報知装置による報知動作の種別に基づいて前記報知装置を選択する、
ことを特徴とする付記３又は４に記載の情報処理装置。
【０１２９】
（付記７）
前記報知装置による前記報知動作の開始から待ち時間内に前記操作入力検出部によって前記ユーザの操作入力が検出されない場合、
前記調整部は、
前記報知装置による前記報知動作を変更するように前記指示部の指示内容を調整する、
ことを特徴とする付記１乃至６のいずれかに記載の情報処理装置。
【０１３０】
（付記８）
前記情報取得部は、
前記周辺情報として周囲の明るさに関する情報を取得し、
前記調整部は、
取得された周囲の明るさに応じて前記待ち時間を調整する、
ことを特徴とする付記２、４、７のいずれかに記載の情報処理装置。
【０１３１】
（付記９）
ユーザに報知する事象が発生したことを前記ユーザに報知可能な報知装置に関する情報を含む周辺情報を取得する情報取得工程と、
前記事象が発生したことを前記ユーザに報知する報知動作を前記報知装置に指示する指示工程と、
前記情報取得工程において取得された周辺情報に基づいて前記指示部の指示内容を調整する調整工程と、
を含む情報処理方法。
【０１３２】
（付記１０）
コンピュータを、
ユーザに報知する事象が発生したことを前記ユーザに報知可能な報知装置に関する情報を含む周辺情報を取得する情報取得部、
前記事象が発生したことを前記ユーザに報知する報知動作を前記報知装置に指示する指示部、
前記情報取得部によって取得された周辺情報に基づいて前記指示部の指示内容を調整する調整部、
として機能させるプログラム。
【０１３３】
（付記１１）
情報処理装置と前記情報処理装置との間で通信可能な報知装置とから構成される通信システムであって、
前記情報処理装置は、
ユーザに報知する事象が発生したことを前記ユーザに報知可能な前記報知装置に関する情報を含む周辺情報を取得する情報取得部と、
前記事象が発生したことを前記ユーザに報知する報知動作を前記報知装置に指示する指示部と、
前記情報取得部によって取得された周辺情報に基づいて前記指示部の指示内容を調整する調整部と、
を備え、
前記報知装置は、
前記指示部による指示に従って前記報知動作を実行する、
ことを特徴とする通信システム。
【符号の説明】
【０１３４】
１  通信システム
１１、２２、３２  音声部
１２、２３、３３  スピーカ
１３  マイクロフォン
１４、２４、３５  操作部
１５、３４  表示部
１６、２１、３１  通信部
１７  記憶部
１８  ＣＰＵ
１９  照度センサ
２５、３６  制御部
２６、３７  人感センサ
１００  携帯端末
１８１  情報取得部
１８２  操作入力検出部
１８３  指示部
１８４  調整部
２００  スピーカシステム
３００  テレビ
４００  情報処理装置
５００  報知装置
【図１】
2012212958.tif 000003
【図２】
2012212958.tif 000004
【図３】
2012212958.tif 000005
【図４】
2012212958.tif 000006
【図５】
2012212958.tif 000007
【図６】
2012212958.tif 000008
【図７】
2012212958.tif 000009
【図８】
2012212958.tif 000010
【図９】
2012212958.tif 000011
【図１０】
2012212958.tif 000012
【図１１】
2012212958.tif 000013
【図１２】
2012212958.tif 000014
【図１３】
2012212958.tif 000015